(57)【要約】【課題】プライベート情報を適切に開示する技術を提供する。【解決手段】  情報開示装置であって、ライフステージに関する所定のトリガーイベントに応じて開示する情報である開示情報と、開示情報を開示する対象を特定する開示範囲情報と、開示する対象に開示する方法を特定する開示方法情報と、を含む記憶部と、ネットワークを介して他の装置と通信する通信部と、ネットワークを介して外部システムから所定のトリガーイベントを受信したか否か監視する、開示トリガー監視部と、受信したトリガーイベントに応じて開示情報を特定し、開示情報を開示する対象に、開示する方法で開示する開示処理部と、を備える。【選択図】図１
2020064550.tif 000002
【特許請求の範囲】
【請求項１】
ライフステージに関する所定のトリガーイベントに応じて開示する情報である開示情報と、前記開示情報を開示する対象を特定する開示範囲情報と、前記開示する対象に開示する方法を特定する開示方法情報と、を含む記憶部と、
ネットワークを介して他の装置と通信する通信部と、
前記ネットワークを介して外部システムから前記所定のトリガーイベントを受信したか否か監視する、開示トリガー監視部と、
受信したトリガーイベントに応じて前記開示情報を特定し、前記開示情報を前記開示する対象に、前記開示する方法で開示する開示処理部と、
を備えることを特徴とする情報開示装置。
【請求項２】
請求項１に記載の情報開示装置であって、
前記開示情報には、金融機関の口座情報が含まれる、
ことを特徴とする情報開示装置。
【請求項３】
請求項１に記載の情報開示装置であって、
前記開示範囲情報には、前記開示する対象のＳＮＳアカウントが含まれ、前記開示方法情報には前記ＳＮＳアカウントへのアクセス方法が含まれ、
前記開示処理部は、前記ＳＮＳアカウントへのアクセス方法が含まれる対象については前記ＳＮＳアカウントへアクセスして前記開示情報を開示する、
ことを特徴とする情報開示装置。
【請求項４】
請求項１に記載の情報開示装置であって、
前記記憶部には、任意の画像情報を一つまたは複数格納する自分史記憶部が含まれ、
前記開示処理部は、前記開示トリガー監視部が所定の前記トリガーイベントを受信すると、前記自分史記憶部の前記画像情報を開示する、
ことを特徴とする情報開示装置。
【請求項５】
請求項１に記載の情報開示装置であって、
前記開示情報には、介護、延命治療、葬儀、埋葬方法、財産分与のいずれかまたは複数の項目の要望が含まれる、
ことを特徴とする情報開示装置。
【請求項６】
請求項１に記載の情報開示装置であって、
前記トリガーイベントには、身体または精神上の公的支援が必要な状態であると行政組織により認定されたことを示すイベントが含まれる、
ことを特徴とする情報開示装置。
【請求項７】
情報開示装置を用いた情報開示方法であって、
前記情報開示装置は、
ライフステージに関する所定のトリガーイベントに応じて開示する情報である開示情報と、前記開示情報を開示する対象を特定する開示範囲情報と、前記開示する対象に開示する方法を特定する開示方法情報と、を含む記憶部と、制御部と、ネットワークを介して他の装置と通信する通信部と、を備え、
前記制御部は、
前記ネットワークを介して外部システムから前記所定のトリガーイベントを受信したか否か監視する、開示トリガー監視ステップと、
受信したトリガーイベントに応じて前記開示情報を特定し、前記開示情報を前記開示する対象に、前記開示する方法で開示する開示処理ステップと、
を実施することを特徴とする情報開示方法。
【請求項８】
請求項７に記載の情報開示方法であって、
前記開示情報には、金融機関の口座情報が含まれる、
ことを特徴とする情報開示方法。
【請求項９】
請求項７に記載の情報開示方法であって、
前記開示範囲情報には、前記開示する対象のＳＮＳアカウントが含まれ、前記開示方法情報には前記ＳＮＳアカウントへのアクセス方法が含まれ、
前記開示処理ステップでは、前記ＳＮＳアカウントへのアクセス方法が含まれる対象については前記ＳＮＳアカウントへアクセスして前記開示情報を開示する、
ことを特徴とする情報開示方法。
【請求項１０】
請求項７に記載の情報開示方法であって、
前記記憶部には、任意の画像情報を一つまたは複数格納する自分史記憶部が含まれ、
前記開示処理ステップでは、前記開示トリガー監視ステップにて所定の前記トリガーイベントを受信すると、前記自分史記憶部の前記画像情報を開示する、
ことを特徴とする情報開示方法。
【請求項１１】
請求項７に記載の情報開示方法であって、
前記開示情報には、介護、延命治療、葬儀、埋葬方法、財産分与のいずれかまたは複数の項目の要望が含まれる、
ことを特徴とする情報開示方法。
【請求項１２】
請求項７に記載の情報開示方法であって、
前記トリガーイベントには、身体または精神上の公的支援が必要な状態であると行政組織により認定されたことを示すイベントが含まれる、
ことを特徴とする情報開示方法。
【発明の詳細な説明】
【技術分野】
【０００１】
本発明は、情報開示装置および情報開示方法に関するものである。
【背景技術】
【０００２】
特許文献１には、「エンディング支援システムＡは、人生のエンディングに関するユーザの情報を入力するユーザ情報入力部５ｋと、人生のエンディングに関するサービスを支援する業者のサービス情報を検索する支援業者サービス情報検索部５ｊと、人生のエンディングに関するユーザ情報と検索した支援業者サービス情報に基づいてユーザのエンディングページを作成するエンディングページ作成部５ｍと、を備える。」と記載されている。
【先行技術文献】
【特許文献】
【０００３】
【特許文献１】特開２０１６−１３３８２０号公報
【発明の概要】
【発明が解決しようとする課題】
【０００４】
上記技術は、エンディングページ情報を作成する入力支援および情報の保存を行うことができるが、プライベート情報を適切に開示することができない。
【０００５】
本発明の目的は、プライベート情報を適切に開示できる技術を提供することにある。
【課題を解決するための手段】
【０００６】
本願は、上記課題の少なくとも一部を解決する手段を複数含んでいるが、その例を挙げるならば、以下のとおりである。本発明の一態様に係る情報開示装置は、ライフステージに関する所定のトリガーイベントに応じて開示する情報である開示情報と、上記開示情報を開示する対象を特定する開示範囲情報と、上記開示する対象に開示する方法を特定する開示方法情報と、を含む記憶部と、ネットワークを介して他の装置と通信する通信部と、上記ネットワークを介して外部システムから上記所定のトリガーイベントを受信したか否か監視する、開示トリガー監視部と、受信したトリガーイベントに応じて上記開示情報を特定し、上記開示情報を上記開示する対象に、上記開示する方法で開示する開示処理部と、を備えることを特徴とする。
【０００７】
また、上記の情報開示装置であって、上記開示情報には、金融機関の口座情報が含まれるものであってもよい。
【０００８】
また、上記の情報開示装置であって、上記開示範囲情報には、上記開示する対象のＳＮＳアカウントが含まれ、上記開示方法情報には上記ＳＮＳアカウントへのアクセス方法が含まれ、上記開示処理部は、上記ＳＮＳアカウントへのアクセス方法が含まれる対象については上記ＳＮＳアカウントへアクセスして上記開示情報を開示するものであってもよい。
【０００９】
また、上記の情報開示装置であって、上記記憶部には、任意の画像情報を一つまたは複数格納する自分史記憶部が含まれ、上記開示処理部は、上記開示トリガー監視部が所定の上記トリガーイベントを受信すると、上記自分史記憶部の上記画像情報を開示するものであってもよい。
【００１０】
また、上記の情報開示装置であって、上記開示情報には、介護、延命治療、葬儀、埋葬方法、財産分与のいずれかまたは複数の項目の要望が含まれるものであってもよい。
【００１１】
また、上記の情報開示装置であって、上記トリガーイベントには、身体または精神上の公的支援が必要な状態であると行政組織により認定されたことを示すイベントが含まれるものであってもよい。
【００１２】
また、本発明の別の態様にかかる情報開示方法は、情報開示装置を用いた情報開示方法であって、上記情報開示装置は、ライフステージに関する所定のトリガーイベントに応じて開示する情報である開示情報と、上記開示情報を開示する対象を特定する開示範囲情報と、上記開示する対象に開示する方法を特定する開示方法情報と、を含む記憶部と、制御部と、ネットワークを介して他の装置と通信する通信部と、を備え、上記制御部は、上記ネットワークを介して外部システムから上記所定のトリガーイベントを受信したか否か監視する、開示トリガー監視ステップと、受信したトリガーイベントに応じて上記開示情報を特定し、上記開示情報を上記開示する対象に、上記開示する方法で開示する開示処理ステップと、を実施することを特徴とする。
【００１３】
また、上記の情報開示方法であって、上記開示情報には、金融機関の口座情報が含まれるものであってもよい。
【００１４】
また、上記の情報開示方法であって、上記開示範囲情報には、上記開示する対象のＳＮＳアカウントが含まれ、上記開示方法情報には上記ＳＮＳアカウントへのアクセス方法が含まれ、上記開示処理ステップでは、上記ＳＮＳアカウントへのアクセス方法が含まれる対象については上記ＳＮＳアカウントへアクセスして上記開示情報を開示するものであってもよい。
【００１５】
また、上記の情報開示方法であって、上記記憶部には、任意の画像情報を一つまたは複数格納する自分史記憶部が含まれ、上記開示処理ステップでは、上記開示トリガー監視ステップにて所定の上記トリガーイベントを受信すると、上記自分史記憶部の上記画像情報を開示するものであってもよい。
【００１６】
また、上記の情報開示方法であって、上記開示情報には、介護、延命治療、葬儀、埋葬方法、財産分与のいずれかまたは複数の項目の要望が含まれるものであってもよい。
【００１７】
また、上記の情報開示方法であって、上記トリガーイベントには、身体または精神上の公的支援が必要な状態であると行政組織により認定されたことを示すイベントが含まれるものであってもよい。
【発明の効果】
【００１８】
本発明によると、プライベート情報を適切に開示できる技術を提供することができる。
【００１９】
上記した以外の課題、構成および効果は、以下の実施形態の説明により明らかにされる。
【図面の簡単な説明】
【００２０】
【図１】実施形態に係るエンディングノートシステムの構成図である。
【図２】開示トリガコード記憶部のデータ構造例を示す図である。
【図３】ユーザー情報記憶部のデータ構造例を示す図である。
【図４】口座情報記憶部のデータ構造例を示す図である。
【図５】開示情報記憶部のデータ構造例を示す図である。
【図６】開示範囲記憶部のデータ構造例を示す図である。
【図７】開示方法記憶部のデータ構造例を示す図である。
【図８】自分史記憶部のデータ構造例を示す図である。
【図９】アルバム記憶部のデータ構造例を示す図である。
【図１０】エンディングノートサーバー装置のハードウェア構成例を示す図である。
【図１１】利用者端末のハードウェア構成例を示す図である。
【図１２】エンドユーザー情報登録処理（１）のフローの例を示す図である。
【図１３】エンドユーザー情報登録処理（２）のフローの例を示す図である。
【図１４】エンドユーザー情報の開示処理のフローの例を示す図である。
【発明を実施するための形態】
【００２１】
以下に、本発明の一態様に係る実施形態を適用したエンディングノートシステム１について、図面を参照して説明する。以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００２２】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２３】
さらに、以下の実施の形態において、その構成要素（要素ステップ等も含む）は、特に明示した場合および原理的に明らかに必須であると考えられる場合等を除き、必ずしも必須のものではないことは言うまでもない。
【００２４】
同様に、以下の実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。
【００２５】
また、実施の形態を説明するための全図において、同一の部材には原則として同一の符号を付し、その繰り返しの説明は省略する。
【００２６】
図１は、本実施形態に係るエンディングノートシステム１のブロック図である。エンディングノートシステム１は、利用者が利用者端末２００を用いてブラウザや専用のソフトウェア等を介してエンディングノートサーバー装置１００に接続して利用するが、これに限られず、エンディングノートサーバー装置１００を直接操作して利用するものであってもよい。
【００２７】
なお、利用者端末２００からエンディングノートサーバー装置１００に接続する際には、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット、携帯電話網等、あるいはこれらが複合した通信網であるネットワーク５０を介して接続される。なお、当該ネットワーク５０は、携帯電話通信網等の無線通信網上のＶＰＮ（Ｖｉｒｔｕａｌ  Ｐｒｉｖａｔｅ  Ｎｅｔｗｏｒｋ）等であってもよい。
【００２８】
利用者は、エンディングノートシステム１を用いることで、自分のプライベートな情報を事前に記録しておき、必要な情報に限って適切なタイミングで予め定めた開示対象者に開示することができる。プライベートな情報には、介護、延命治療、葬儀、埋葬方法、財産分与のいずれかまたは複数の項目が含まれるが、これに限られるものではない。例えば、臓器提供意思、輸血制限、遺影写真、加入保険等、個人的な趣味等の秘匿情報も含まれる。
【００２９】
また、開示のタイミングは、ネットワーク５０を介して、金融機関が有する金融システム３００、各種の電子データをファイルとして保存するクラウドストレージ４００、行政組織の電子サービスである自治体システム５００、ＳＮＳ（Ｓｏｃｉａｌ  Ｎｅｔｗｏｒｋ  Ｓｙｓｔｅｍ）６００等からエンディングノートサーバー装置１００が所定のトリガーイベントを受信した時である。なお、トリガーイベントは、身体または精神上の公的支援が必要な状態であると行政組織により認定されたことを示すイベントを含む、ライフステージ上の各種イベントである。
【００３０】
例えば、死亡時には、行政組織である自治体に死亡届が出され、自治体により受理される。その際に、自治体システム５００は受理されたことをトリガーイベントとしてエンディングノートサーバー装置１００に送信する。
【００３１】
このように、外部のシステムから、登録者のライフステージ（意識不明、管理能力低下、死亡、後見人要請、要介護等）に関する所定のトリガーイベントを受信すると、エンディングノートサーバー装置１００はプライベート情報を開示する。例えば、独居者が死亡した場合に、通知したい対象は遺族等が選定することになることが多いが、独居者が生前にその要望を残すことができる。死亡時に遺族に宛てて通知対象者リストを開示するようにしてもよいし、通知したい対象者を通知対象者として予め登録することで、遺族を介さずに通知することもできる。
【００３２】
また、民法等で認められる遺言制度の場合には、法的効力を有するためには実体上各種証明書類等の準備が必要であるが、エンディングノートの場合にはより気軽に身辺整理のための要望を残すことができることを踏まえ、葬儀の趣味嗜好や信仰する宗教等に関連する要望を予め整理しておき、遺族の便宜を図ることもできる。
【００３３】
また、遺影についても、自身が望むデジタル画像データを具体的に選定して予め自分史あるいはアルバムとして登録しておくことが可能である。
【００３４】
エンディングノートサーバー装置１００は、記憶部１１０と、制御部１２０と、入力部１３０と、出力部１４０と、が互いにバス等で通信可能に接続される。
【００３５】
記憶部１１０には、開示トリガコード記憶部１１１と、ユーザー情報記憶部１１２と、口座情報記憶部１１３と、開示情報記憶部１１４と、開示範囲記憶部１１５と、開示方法記憶部１１６と、自分史記憶部１１７と、アルバム記憶部１１８と、が含まれる。
【００３６】
図２は、開示トリガコード記憶部のデータ構造例を示す図である。開示トリガコード記憶部１１１には、開示トリガコード１１１Ａと、開示トリガ１１１Ｂと、備考１１１Ｃと、が含まれる。
【００３７】
開示トリガコード１１１Ａは、トリガーイベントをコード化した情報である。例えば、「意識不明」のトリガーイベントは、内部的には開示トリガコード「０１」に該当するものであると定義する情報である。
【００３８】
開示トリガ１１１Ｂは、情報開示のトリガーとなるイベントである。例えば、開示トリガ１１１Ｂには、「意識不明」、「管理能力低下時」、「死亡時」、「後見人要請時」、「指定期間超過時」、「開示予定なし」等の情報が含まれる。
【００３９】
備考１１１Ｃは、開示トリガ１１１Ｂの内容を詳細に説明する自然言語の情報である。例えば、「意識不明」のトリガーイベントは、「障害者申請時の診断書情報を登録する際に、診断内容に意識障害情報が登録された際」のイベントであることを説明する情報である。
【００４０】
なお、開示トリガコード「０２」には開示トリガ「管理能力低下時」が割り当てられており、その備考には「精神障碍者福祉手帳登録時（等級が１級に準ずる時）」、開示トリガコード「０３」には開示トリガ「死亡時」が割り当てられており、その備考には「市町村で死亡届を受理した際」、開示トリガコード「０４」には開示トリガ「後見人要請時」が割り当てられており、その備考には「身寄りの無い人が意識障害等になり、市区町村長に対し後見人要請が発生した場合」、がそれぞれ対応付けられている。
【００４１】
以下同様に、開示トリガコード「０５」には開示トリガ「指定期間超過時」が割り当てられており、その備考には「ユーザーが指定したシステムログイン一定期間または、開示指定日を超過した場合」、開示トリガコード「０６」には開示トリガ「開示予定なし」が割り当てられており、その備考には「対象情報についてシステム上で開示しない」とされている。これに限られず、各種の開示トリガ（例えば、金融機関の生命保険会社から、所定の疾病状態と認められたときや、入院と認められた場合等）が開示トリガコードと対応付けられていてもよい。
【００４２】
図３は、ユーザー情報記憶部のデータ構造例を示す図である。ユーザー情報記憶部１１２には、ユーザーＩＤ１１２Ａと、個人番号１１２Ｂと、氏名１１２Ｃと、生年月日１１２Ｄと、性別１１２Ｅと、住所１１２Ｆと、が含まれる。
【００４３】
ユーザーＩＤ１１２Ａは、利用者を識別するための識別子である。個人番号１１２Ｂは、行政上、あるいは自治体システム５００上の利用者の識別のための識別子である。氏名１１２Ｃは、利用者の氏名を特定する情報である。生年月日１１２Ｄ、性別１１２Ｅ、住所１１２Ｆは、それぞれ、利用者の生年月日、性別、住所を特定する情報である。
【００４４】
図４は、口座情報記憶部のデータ構造例を示す図である。口座情報記憶部１１３には、ユーザーＩＤ１１３Ａと、開示情報コード１１３Ｂと、名義人氏名１１３Ｃと、口座番号１１３Ｄと、銀行名１１３Ｅと、支店名１１３Ｆと、が含まれる。なお、本実施形態においては、口座情報は、ライフステージに関する所定のトリガーイベントに応じて開示する情報である。
【００４５】
ユーザーＩＤ１１３Ａは、利用者を識別するための識別子である。開示情報コード１１３Ｂは、当該ユーザーＩＤ１１３Ａに係る口座情報を開示するトリガーとする開示トリガコードである。名義人氏名１１３Ｃは、口座の名義人を特定する情報である。口座番号１１３Ｄ、銀行名１１３Ｅ、支店名１１３Ｆは、金融機関の口座を特定する番号である。
【００４６】
図５は、開示情報記憶部のデータ構造例を示す図である。開示情報記憶部１１４には、ユーザーＩＤ１１４Ａと、開示情報コード１１４Ｂと、開示トリガ１１４Ｃと、トリガ値１１４Ｄと、開示範囲１１４Ｅと、開示方法１１４Ｆと、開示済みフラグ１１４Ｇと、が含まれる。なお、本実施形態においては、開示情報は、ライフステージに関する所定のトリガーイベントに応じて開示する情報である。
【００４７】
ユーザーＩＤ１１４Ａは、利用者を識別するための識別子である。開示情報コード１１４Ｂは、開示する情報項目を特定するコードである。開示トリガ１１４Ｃは、当該ユーザーＩＤ１１４Ａに係る開示情報コード１１４Ｂで特定される情報項目を開示するトリガーとする開示トリガコードである。
【００４８】
トリガ値１１４Ｄは、開示トリガ１１４Ｃに相当するトリガーイベントのうち、直近に受け取ったトリガーイベントの値である。開示範囲１１４Ｅは、開示情報コード１１４Ｂを開示する対象の範囲を特定する情報である。例えば、開示範囲１１４Ｅには、開示対象とするユーザーＩＤが格納される。開示方法１１４Ｆは、開示範囲に開示情報を開示する際に採用する開示方法を特定する開示方法コードを特定する情報である。開示済みフラグ１１４Ｇは、開示情報コード１１４Ｂの情報が開示済みであるか否かを示す情報である。
【００４９】
図６は、開示範囲記憶部のデータ構造例を示す図である。開示範囲記憶部１１５には、対象者キー１１５Ａと、対象者名１１５Ｂと、住所１１５Ｃと、電話番号１１５Ｄと、電子メールアドレス１１５Ｅと、ＳＮＳアカウント１１５Ｆと、対象ＳＮＳ１１５Ｇと、が含まれる。
【００５０】
対象者キー１１５Ａは、開示情報の開示対象者を特定する情報である。対象者名１１５Ｂは、対象者キー１１５Ａで特定される開示対象者の氏名を特定する情報である。住所１１５Ｃ、電話番号１１５Ｄ、電子メールアドレス１１５Ｅ、ＳＮＳアカウント１１５Ｆは、それぞれ、対象者キー１１５Ａで特定される開示対象者の住所、電話番号、電子メールアドレス、ＳＮＳのアカウントを特定する情報である。対象ＳＮＳ１１５Ｇは、対象者キー１１５Ａで特定される開示対象者が使用しており連絡可能なＳＮＳを特定する情報である。
【００５１】
図７は、開示方法記憶部のデータ構造例を示す図である。開示方法記憶部１１６には、開示方法コード１１６Ａと、開示方法１１６Ｂと、が含まれる。開示方法１１６Ｂには、「電子メール」、「郵便はがき」、「Ｗｅｂ開示」等の開示情報の開示方法が規定され、それぞれの方法を識別するコードである開示方法コード１１６Ａがそれぞれ「０１」、「０２」、「０３」等のように対応付けられている。
【００５２】
図８は、自分史記憶部のデータ構造例を示す図である。自分史記憶部１１７には、ユーザーＩＤ１１７Ａと、自分史ＩＤ１１７Ｂと、記載内容１１７Ｃと、画像ファイル１１７Ｄと、が含まれる。本実施形態では、自分史についても、開示情報を構成する一つの情報として扱っている。なお、自分史は、利用者一人につき一つまで存在するものとする。
【００５３】
ユーザーＩＤ１１７Ａは、利用者を識別するための識別子である。自分史ＩＤ１１７Ｂは、利用者が作成する自分史の識別子である。記載内容１１７Ｃは、自分史に含ませる画像の自由記述コメントである。画像ファイル１１７Ｄは、自分史に含ませる画像ファイルや、ポストスクリプトファイルである。なお、本実施形態においては、自分史は、ライフステージに関する所定のトリガーイベントに応じて開示する情報である。
【００５４】
図９は、アルバム記憶部のデータ構造例を示す図である。アルバム記憶部１１８には、ユーザーＩＤ１１８Ａと、アルバムＩＤ１１８Ｂと、記載内容１１８Ｃと、画像ファイル１１８Ｄと、が含まれる。本実施形態では、アルバムについても、開示情報を構成する一つの情報として扱っている。なお、アルバムは、利用者一人で複数所有できるものとする。
【００５５】
ユーザーＩＤ１１８Ａは、利用者を識別するための識別子である。アルバムＩＤ１１８Ｂは、利用者が作成するアルバムの識別子である。記載内容１１７Ｃは、アルバムに含ませる画像の自由記述コメントである。画像ファイル１１８Ｄは、アルバムに含ませる画像ファイルや、ポストスクリプトファイルである。なお、本実施形態においては、アルバムは、ライフステージに関する所定のトリガーイベントに応じて開示する情報である。
【００５６】
制御部１２０には、ユーザー登録部１２１と、開示情報編集部１２２と、開示範囲登録部１２３と、自分史・アルバム処理部１２４と、開示トリガー監視部１２５と、開示処理部１２６と、が含まれる。
【００５７】
ユーザー登録部１２１は、利用者をエンディングノートシステム１のユーザーとして登録するための処理を行う。具体的には、ユーザー登録部１２１は、利用者端末２００から利用者の情報の入力を受け付けてユーザー情報記憶部１１２に記憶させ、金融システム３００と、クラウドストレージ４００と、自治体システム５００と、のそれぞれのアカウントを名寄せ処理して関連付ける。
【００５８】
開示情報編集部１２２は、ユーザーＩＤごとに開示する情報もしくは意図的に開示しない情報を受け付けて、開示情報記憶部１１４に記憶させる。
【００５９】
開示範囲登録部１２３は、開示情報ごとに開示する対象者を設定し、対象者の情報を開示範囲記憶部１１５に記憶させる。
【００６０】
自分史・アルバム処理部１２４は、自分史と、アルバムと、を対象として、新規作成、編集、追加、削除等の処理を制御する。
【００６１】
開示トリガー監視部１２５は、ネットワーク５０を介して、外部システム（金融システム３００、クラウドストレージ４００、自治体システム５００）から所定のトリガーイベントを受信したか否か監視する。
【００６２】
開示処理部１２６は、受信したトリガーイベントに応じて開示すべき開示情報を特定し、開示情報を開示する対象に、開示する方法で開示する処理を行う。なお、開示処理部１２６は、開示方法が「電子メール」であれば開示対象者の電子メールアドレス向けに所定のフォーマットの電子メールを送信して開示トリガーの情報および開示情報を送信する。開示処理部１２６は、開示方法が「郵便はがき」であれば、開示対象者の住所宛に所定のフォーマットの郵便はがきを送信して開示トリガーの情報および開示情報を送信する。開示処理部１２６は、開示方法が「Ｗｅｂ開示」であれば、開示対象者のＳＮＳアカウント宛に所定のフォーマットのメッセージを送信して開示トリガーの情報および開示情報を送信する。
【００６３】
入力部１３０は、エンディングノートサーバー装置１００への利用者端末２００からの入力を受け付ける。例えば、入力部１３０は、利用者端末２００が受け付けたタイピングやタッチ、フリック入力等の各種の接触入力、あるいは音声入力、または視線入力等の各種の入力を受け付ける。
【００６４】
出力部１４０は、エンディングノートサーバー装置１００からの利用者端末２００への出力を行う。出力される情報は、画面や帳票等の各種出力情報である。
【００６５】
図１０は、エンディングノートサーバー装置のハードウェア構成例を示す図である。エンディングノートサーバー装置１００は、いわゆるサーバー装置、ワークステーション、パーソナルコンピュータ、スマートフォンあるいはタブレット端末の筐体により実現されるハードウェア構成を備える。エンディングノートサーバー装置１００は、演算装置１０１と、主記憶装置１０２と、補助記憶装置１０３と、各装置をつなぐバス１０７と、を備える。また他に、エンディングノートサーバー装置１００は、ネットワークを介して他の装置と通信する通信装置１０４と、タッチパネルやキーボード、マイク、ディスプレイ等の入出力装置を備える。
【００６６】
演算装置１０１は、例えばＣＰＵ（Ｃｅｎｔｒａｌ  Ｐｒｏｃｅｓｓｉｎｇ  Ｕｎｉｔ）などの演算装置である。
【００６７】
主記憶装置１０２は、例えばＲＡＭ（Ｒａｎｄｏｍ  Ａｃｃｅｓｓ  Ｍｅｍｏｒｙ）などのメモリ装置である。
【００６８】
補助記憶装置１０３は、デジタル情報を記憶可能な、いわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００６９】
通信装置１０４は、ネットワークインターフェースカード（ＮＩＣ）等である。なお、入出力装置には、キーボードやマウス、タッチパネル、ディスプレイ、マイク、スピーカー等の各種入出力装置が含まれる。
【００７０】
上記したエンディングノートサーバー装置１００のユーザー登録部１２１と、開示情報編集部１２２と、開示範囲登録部１２３と、自分史・アルバム処理部１２４と、開示トリガー監視部１２５と、開示処理部１２６とは、演算装置１０１に処理を行わせるプログラムによって実現される。このプログラムは、主記憶装置１０２、補助記憶装置１０３または図示しないＲＯＭ装置内に記憶され、実行にあたって主記憶装置１０２上にロードされ、演算装置１０１により実行される。
【００７１】
また、エンディングノートサーバー装置１００の記憶部１１０は、主記憶装置１０２及び補助記憶装置１０３により実現される。また、入力部１３０および出力部１４０は、入出力装置により実現される。以上が、エンディングノートサーバー装置１００のハードウェア構成例である。
【００７２】
エンディングノートサーバー装置１００の構成は、処理内容に応じて、さらに多くの構成要素に分類することもできる。また、１つの構成要素がさらに多くの処理を実行するように分類することもできる。
【００７３】
また、各制御部（ユーザー登録部１２１と、開示情報編集部１２２と、開示範囲登録部１２３と、自分史・アルバム処理部１２４と、開示トリガー監視部１２５と、開示処理部１２６）は、それぞれの機能を実現する専用のハードウェア（ＡＳＩＣ、ＧＰＵなど）により構築されてもよい。また、各制御部の処理が一つのハードウェアで実行されてもよいし、複数のハードウェアで実行されてもよい。
【００７４】
図１１は、利用者端末のハードウェア構成例を示す図である。利用者端末２００は、いわゆるワークステーション、パーソナルコンピュータ、スマートフォンあるいはタブレット端末の筐体により実現されるハードウェア構成を備える。利用者端末２００は、演算装置２０１と、主記憶装置２０２と、補助記憶装置２０３と、入力装置２０４と、表示装置２０５と、通信装置２０６と、各装置をつなぐバス２０７と、を備える。通信装置２０６は、ネットワークを介して他の装置であるエンディングノートサーバー装置１００と通信する。入力装置２０４は、タッチパネルやキーボード、マイクを含み、表示装置２０５は有機ＥＬ（Ｅｌｅｃｔｒｏ−Ｌｕｍｉｎｅｓｃｅｎｃｅ）ディスプレイ等の入出力装置である。
【００７５】
演算装置２０１は、例えばＣＰＵなどの演算装置であり、主記憶装置２０２は、例えばＲＡＭなどのメモリ装置である。また、補助記憶装置２０３は、デジタル情報を記憶可能な、いわゆるハードディスクやＳＳＤあるいはフラッシュメモリなどの不揮発性記憶装置である。通信装置２０６は、ネットワークインターフェースカード（ＮＩＣ）等である。以上が、利用者端末２００のハードウェア構成例である。
【００７６】
利用者端末２００の構成は、処理内容に応じて、さらに多くの構成要素に分類することもできる。また、１つの構成要素がさらに多くの処理を実行するように分類することもできる。
【００７７】
次に、本実施形態におけるエンディングノートシステム１の動作を説明する。
【００７８】
図１２は、エンドユーザー情報登録処理（１）のフローの例を示す図である。エンドユーザー情報登録処理は、利用者端末２００からの開始指示に応じて起動される。
【００７９】
まず、ユーザー登録部１２１は、ユーザー登録に必要な情報項目（例えば、個人番号）を入力可能な情報入力画面を作成する（ステップＳ１０１）。そして、ユーザー登録部１２１は、作成した情報入力画面を利用者端末２００に送信する（ステップＳ１０２）。
【００８０】
そして、利用者が利用者端末２００を用いて情報入力画面に個人番号を入力する（ステップＳ１０３）。そして、入力された情報をエンディングノートサーバー装置１００に送信する（ステップＳ１０４）。
【００８１】
そして、ユーザー登録部１２１は、入力された情報を用いてユーザー情報記憶部１１２を検索する（ステップＳ１０５）。ユーザー情報がユーザー情報記憶部１１２に既に登録されていれば、ユーザー登録部１２１は、開示情報編集部１２２に制御を受け渡し、ステップＳ１１５へ制御を進める。ユーザー情報がユーザー情報記憶部１１２に既に登録されていなければ、ユーザー登録部１２１は、自治体システム５００に個人番号を送信して基本四情報と呼ばれる氏名、生年月日、性別、住所の検索を依頼する（ステップＳ１０６）。
【００８２】
自治体システム５００は、個人番号を用いて基本四情報と、税情報、住民票記載の親等情報等の各種の情報を取得する（ステップＳ１０７）。そして、ユーザー登録部１２１は、自治体システム５００から、自治体保有情報・基本四情報（氏名、性別、生年月日、住所）に加えて、税情報、住民票記載の親等情報等の各種の情報を少なくとも含む情報の応答を受ける（ステップＳ１０８）。
【００８３】
そして、ユーザー登録部１２１は、受けた自治体保有情報・基本四情報（氏名、性別、生年月日、住所）に加えて、税情報、住民票記載の親等情報等の各種の情報をユーザー情報記憶部１１２に格納する。
【００８４】
そして、ユーザー登録部１２１は、外部機関から各種情報の取得を行う（ステップＳ１０９）。例えば、ユーザー登録部１２１は、個人番号によるデータ連携を利用して、外部機関である金融システム３００に口座情報の情報を要求する（ステップＳ１１０）。
【００８５】
そして、ユーザー登録部１２１は、金融システム３００から、口座情報等の各種情報の応答を受ける（ステップＳ１１１）。そして、ユーザー登録部１２１は、受けた口座情報等の各種の情報に応じた開示情報コードを割り振り、口座情報記憶部１１３等に格納する。
【００８６】
そして、ユーザー登録部１２１は、手続画面を作成する（ステップＳ１１２）。具体的には、ユーザー登録部１２１は、親族・関係者情報登録、資産情報登録、葬儀・お墓についての登録、介護、治療についての登録、保険・私的年金等契約している各種情報の登録等、エンディングノートの記載項目の各種情報の入力を受け付ける手続画面を作成する。そして、ユーザー登録部１２１は、作成した手続画面を利用者端末２００に送信する（ステップＳ１１３）。
【００８７】
そして、利用者端末２００が手続画面の入力項目（親族・関係者情報、資産情報、葬儀・お墓、介護、治療、保険・私的年金等契約している各種情報）への入力を受け付ける（ステップＳ１１４）。利用者端末２００が受け付けた情報は、ユーザー登録部１２１が受信する（ステップＳ１１５）。
【００８８】
そして、受け付けた登録情報を、開示情報編集部１２２がその内容に応じて、ユーザー情報記憶部１１２、口座情報記憶部１１３、開示情報記憶部１１４のいずれかに分類して登録する。なお、その他の追加項目として、エンディングノートに随意に記載可能な項目が手続画面に含まれており、利用者が入力した情報は開示情報編集部１２２が開示情報記憶部１１４に登録する。
【００８９】
図１３は、エンドユーザー情報登録処理（２）のフローの例を示す図である。開示情報編集部１２２は、開示範囲を設定するためのＳＮＳ関連情報の取得を行う（ステップＳ１３０）。具体的には、開示情報編集部１２２は、指定されたＳＮＳについて、友人情報等の開示対象者の候補となる情報を要求する（ステップＳ１３１）。
【００９０】
そして、開示情報編集部１２２は、外部のＳＮＳ６００から、ユーザーに関するフレンド情報を受信する（ステップＳ１３２）。
【００９１】
そして、利用者端末２００は、開示内容ごとに、開示対象者の設定入力を受け付ける（ステップＳ１３３）。そして、開示範囲登録部１２３は、利用者端末２００から開示対象者情報を受け付ける（ステップＳ１３４）。
【００９２】
そして、開示範囲登録部１２３は、開示対象者を開示内容に紐付ける（ステップＳ１３５）。具体的には、開示範囲登録部１２３は、開示情報記憶部１１４の開示情報コード１１４Ｂに応じて、開示範囲１１４Ｅを記憶させる。
【００９３】
そして、利用者端末２００は、開示内容ごとに、開示方法の設定入力を受け付ける（ステップＳ１３６）。そして、開示範囲登録部１２３は、利用者端末２００から開示方法の情報を受け付ける（ステップＳ１３７）。
【００９４】
そして、開示範囲登録部１２３は、開示方法を開示内容に紐付ける（ステップＳ１３８）。具体的には、開示範囲登録部１２３は、開示情報記憶部１１４の開示情報コード１１４Ｂに応じて、開示方法１１４Ｆを記憶させる。
【００９５】
そして、利用者端末２００は、自分史およびアルバムの編集内容を受け付ける（ステップＳ１３９）。そして、自分史・アルバム処理部１２４は、利用者端末２００から自分史・アルバムの編集内容を受け付ける（ステップＳ１４０）。
【００９６】
自分史・アルバム処理部１２４は、写真データの取り込みを行う（ステップＳ１４１）。具体的には、自分史・アルバム処理部１２４は、編集内容に指定されたＳＮＳ６００、あるいはクラウドストレージ４００等に指定された写真を要求する（ステップＳ１４２）。クラウドストレージ４００およびＳＮＳ６００は、写真データを検索して取得する（ステップＳ１４３）。そして、自分史・アルバム処理部１２４は、クラウドストレージ４００およびＳＮＳ６００が取得した写真データを受け付ける（ステップＳ１４４）。
【００９７】
そして、自分史・アルバム処理部１２４は、写真データを自分史記憶部１１７の画像ファイル１１７Ｄおよびアルバム記憶部１１８の画像ファイル１１８Ｄに格納する（ステップＳ１４５）。そして、自分史・アルバム処理部１２４は、アルバム単位あるいは自分史単位で、開示範囲や開示方法についても、処理において要求された編集内容に応じて開示範囲記憶部１１５に記憶する。
【００９８】
以上が、エンドユーザー情報登録処理の処理フローである。エンドユーザー情報登録処理によれば、利用者がユーザー情報を未作成の場合には新たに作成し、開示情報およびその開示範囲、開示方法を設定・編集することができる。
【００９９】
図１４は、エンドユーザー情報の開示処理のフローの例を示す図である。エンドユーザー情報の開示処理は、エンディングノートサーバー装置１００が起動すると、開始される。
【０１００】
まず、自治体システム５００が、開示トリガーイベントのいずれかを生成する（ステップＳ１８０）。これは、自治体において各種のライフステージに関する申請等の受理や認定、査定、処分等が行われた場合に、その内容に応じて自治体システム５００が所定のイベントを生成するものである。そして、このイベントには、対象者の個人番号およびトリガーとなる情報が含まれている。
【０１０１】
そして、開示トリガー監視部１２５は、トリガーイベントを受信する（ステップＳ１８１）。
【０１０２】
そして、開示トリガー監視部１２５は、受信したトリガーイベントの個人番号を用いて、イベントの対象者を検索する（ステップＳ１８２）。このイベントの対象者は、開示情報の開示者である利用者を示す情報である。
【０１０３】
そして、開示処理部１２６は、連携された情報が開示トリガーに設定があるか否か判定する（ステップＳ１８３）。設定がない場合（ステップＳ１８３にて「Ｎｏ」の場合）には、開示処理部１２６は、エンドユーザー情報の開示処理を終了させる。なお、デフォルト設定では、利用者の死亡が通知された場合には、自分史記憶部１１７に記憶されている自分史は開示される対象として選定されるように設定されているが、図示しない所定の設定値が変更されていれば、開示対象の設定がないものとして扱う。
【０１０４】
設定がある場合（ステップＳ１８３にて「Ｙｅｓ」の場合）には、開示処理部１２６は、連携された開示トリガーの開示項目を特定する（ステップＳ１８４）。具体的には、開示処理部１２６は、開示トリガーとなったイベントの内容に応じて、開示トリガコード記憶部１１１を参照して開示トリガコード１１１Ａを特定する。
【０１０５】
そして、開示処理部１２６は、開示項目に応じて、開示範囲（開示対象者）を特定し、開示範囲への開示方法の特定を行う（ステップＳ１８５）。具体的には、開示処理部１２６は、開示対象の情報を特定された開示トリガコードと対応付けられた開示情報を口座情報記憶部１１３、開示情報記憶部１１４から読み出し、開示範囲１１４Ｅおよび開示方法１１４Ｆを読み出す。そして、開示処理部１２６は、開示済みフラグ１１４Ｇに開示済みであることを示すフラグが格納されている場合には、当該情報を開示項目から除外する。
【０１０６】
そして、開示処理部１２６は、開示方法に応じて、開示情報を開示範囲（開示対象者）へ展開する（ステップＳ１８６）。具体的には、開示処理部１２６は、開示方法が「電子メール」であれば開示対象者の電子メールアドレス向けに所定のフォーマットの電子メールを送信して開示トリガーの情報および開示情報を送信する。開示処理部１２６は、開示方法が「郵便はがき」であれば、開示対象者の住所宛に所定のフォーマットの郵便はがきを送信して開示トリガーの情報および開示情報を送信する。開示処理部１２６は、開示方法が「Ｗｅｂ開示」であれば、開示対象者のＳＮＳアカウント宛に所定のフォーマットのメッセージを送信して開示トリガーの情報および開示情報を送信する。そして、開示処理部１２６は、開示した情報については、開示済みであることを示すフラグを開示済みフラグ１１４Ｇに記憶させる。
【０１０７】
そして、開示対象者（利用者）は、開示情報を開示方法に応じて受け取り、閲覧する（ステップＳ１８７）。
【０１０８】
以上が、エンドユーザー情報の開示処理のフローである。エンドユーザー情報の開示処理によれば、ライフステージの変化に応じて、プライベート情報を予め定めた範囲に予め定めた方法で所定の情報を開示することができる。
【０１０９】
以上の実施形態のように、エンディングノートシステム１によれば、プライベート情報を適切に開示することができる。
【０１１０】
本発明は、上記の実施形態に制限されない。上記の実施形態は、本発明の技術的思想の範囲内で様々な変形が可能である。例えば、上記の実施形態においては、自治体システム５００からトリガーイベントを得ているが、これに限られない。例えば、金融システム３００や、病院の電子カルテシステムから得るものであってもよい。このようにした場合、意識不明で救急搬送された場合や、重大な疾患があると認められた場合等に、より細やかな情報開示を行うことができる。
【０１１１】
また、上記した実施形態の技術的要素は、単独で適用されてもよいし、プログラム部品とハードウェア部品のような複数の部分に分けられて適用されるようにしてもよい。
【０１１２】
以上、本発明について、実施形態を中心に説明した。
【符号の説明】
【０１１３】
１・・・エンディングノートシステム、５０・・・ネットワーク、１００・・・エンディングノートサーバー装置、１１０・・・記憶部、１１１・・・開示トリガコード記憶部、１１２・・・ユーザー情報記憶部、１１３・・・口座情報記憶部、１１４・・・開示情報記憶部、１１５・・・開示範囲記憶部、１１６・・・開示方法記憶部、１１７・・・自分史記憶部、１１８・・・アルバム記憶部、１２０・・・制御部、１２１・・・ユーザー登録部、１２２・・・開示情報編集部、１２３・・・開示範囲登録部、１２４・・・自分史・アルバム処理部、１２５・・・開示トリガー監視部、１２６・・・開示処理部、１３０・・・入力部、１４０・・・出力部、２００・・・利用者端末、３００・・・金融システム、４００・・・クラウドストレージ、５００・・・自治体システム、６００・・・ＳＮＳ。
【図１】
2020064550.tif 000003
【図２】
2020064550.tif 000004
【図３】
2020064550.tif 000005
【図４】
2020064550.tif 000006
【図５】
2020064550.tif 000007
【図６】
2020064550.tif 000008
【図７】
2020064550.tif 000009
【図８】
2020064550.tif 000010
【図９】
2020064550.tif 000011
【図１０】
2020064550.tif 000012
【図１１】
2020064550.tif 000013
【図１２】
2020064550.tif 000014
【図１３】
2020064550.tif 000015
【図１４】
2020064550.tif 000016